(57)【特許請求の範囲】
【請求項１】
アクト系とスタンバイ系とが互いに切替わる交換機システムであって、
制御系や通話路系の動作を行う基板が実装される１つ又は複数のユニットと、該ユニットを収納する架枠と、前記ユニット毎に前記架枠の背面に配置されたバックワイヤリングボードとを有する０系と、
該０系がアクト系として機能するとき、スタンバイ系となり、前記０系がスタンバイ系のとき、アクト系として機能する前記０系と同一の構成要素を有する１系と、
前記０系の背面に設置された前記バックワイヤリングボードと、前記１系の背面に設置されたバックワイヤリングボードとの間に設けられ、前記０系と前記１系とを接続する０／１接続コネクタとを備え、
前記０系の前記架枠の背面と前記１系の架枠の背面とは互いに対向して配置され、
前記０／１接続コネクタは、前記０系の背面に設置された前記バックワイヤリングボードと、前記１系の背面に設置されたバックワイヤリングボードとの間で交絡信号を伝える
ことを特徴とする交換機システム。
【請求項２】
前記０系と前記１系の各々架枠の背面において、鉛直方向に配置された前記バックワイヤリングボードを接続し、上下に配置された前記ユニット間の信号を伝えるＢＷＢ接続コネクタを備えることを特徴とする請求項１に記載の交換機システム。
【請求項３】
前記０系と前記１系とは、前記０系と前記１系間の互いの交絡信号の入力、又は、出力を行う同一構成の基板を各々有し、
前記０／１接続コネクタは、前記０系の出力から前記１系へ入力する信号と前記１系の出力から前記０系へ入力する信号とが互いに絶縁を保ち、交差する配線構造を有し、
前記基板は、前記０／１接続コネクタを挟んで対照位置となるそれぞれの前記バックワイヤリングボード上に実装される
ことを特徴とする請求項１又は２に記載の交換機システム。
【請求項４】
アクト系とスタンバイ系とが互いに切替わる交換機システムの配線方法であって、
２つの系のうち、一方の系である０系の架枠の背面と他方の系である１系の架枠の背面とを互いに対向して配置し、
前記０系の背面に設置されたバックワイヤリングボードと、前記１系の背面に設置されたバックワイヤリングボードとの間で０／１接続コネクタを介して交絡信号が伝わるように配線する
ことを特徴とする交換機システムの配線方法。
【請求項５】
前記０系と前記１系とは、前記０系と前記１系間の交絡信号の入力、又は、出力を行う同一構成の基板を、前記０系又は前記１系の架枠の背面を対称面とする互いに対向する位置に実装し、
前記０系の出力から前記１系へ入力する信号線と、前記１系の出力から前記０系へ入力する信号線とを互いに絶縁を保ち、交差して配線する
ことを特徴とする請求項４に記載の交換機システムの配線方法。
【発明の詳細な説明】
【０００１】
【発明の属する技術分野】
本発明はアクト系とスタンバイ系とが互いに切替わる０系と１系とで構成される交換機システム及びその配線方法に関する技術に属する。
【０００２】
【従来の技術】
従来のアクト系とスタンバイ系とが互いに切替わる交換機システムは、各々の架枠に沿ってケーブル配線し、また、各々架枠の間をケーブル配線する構成となっている。
【０００３】
図４は、従来の交換機システム５０におけるユニット構成の一例を示す図である。図４に示すように、架枠２０の中において、０系１０Ａは、機能ブロック単位に分けられたユニット１５とユニット１６とを備え、同様に１系１０Ｂは、ユニット１５’とユニット１６’とを備える。また、０系１０Ａと１系１０Ｂ’とは、同じ機能を有する構成となる。
【０００４】
図４に示すように、各々フルユニットの構成であるユニット１５とユニット１５’とは上下に配置され、また、ハーフサイズユニットの構成であるユニット１６とユニット１６’とは左右に並べて配置されて０系１０Ａと１系１０Ｂとを構成する。これらの設置方法は、設置場所、各々ユニットのサイズに従い設定される。また、図中には、矢印にて交換機システム５０の前面１０Ｆと背面１０Ｇの方向を示す。
【０００５】
図５は、図４の背面１０Ｇにおけるユニット間ケーブルＣ１０の配線を示す図である。図中には、０系１０Ａと１系１０Ｂとの間のユニット間ケーブルＣ１０配線されている状態を示す。
【０００６】
図６は、図５のユニット間ケーブルＣ１０に対応するスペースの状態を示す図である。図６に示すように、図５のユニット間ケーブルＣ１０は、０系１０Ａと１系１０Ｂとの間、又は、各々の系に沿ってケーブル収容スペース３０が必要となる。
【０００７】
【発明が解決しようとする課題】
しかしながら、従来技術には以下に掲げる問題点があった。
【０００８】
図５に示すように、従来の交換機システム５０ではケーブルの多さにより、架設置時にケーブル接続ミスなど発生する危険性があった。また架枠２０の大きさとユニットの大きさが一般的に固定されているため、ユニット間ケーブルＣ１０が多くなると、ユニット間ケーブルＣ１０の収容が困難になり、一度ユニット間ケーブルＣ１０敷設をしてしまうと、包縛しないとユニット間ケーブルＣ１０の固定ができないという不便さがあった。
【０００９】
また、最近の信号の高速化に伴って、０／１系のユニット間ケーブルＣ１０の線長が不均等になってしまうことによる遅延差や、ケーブル長が長くなることにより信号が不安定になる。また、ケーブルの多さ、高速信号の多さにより、ＥＭＩ基準を満足できない場合がある。
【００１０】
この対策としてユニット間ケーブルＣ１０にフェライトコアで対策を行ったり、ユニット間ケーブルＣ１０の敷設順序を変更したりという対策を行っているが、ユニットの配置に関して冗長構成をとるため、０／１系でのデータ通信用、同期交絡用など、０／１系での交絡ケーブルは必要である。ケーブル収容については図５に示すように背面１０Ｇにてユニット間をユニット間ケーブルＣ１０で接続され、また、図６に示すように、ユニット間ケーブルＣ１０を固定するために、架枠２０に沿ってユニット間ケーブルＣ１０を収容するのが一般的であり、ケーブル収容スペース３０が必要となる。図４及び図５に示すように、ユニットの実装位置によってはケーブルの長さが異なり、また、架枠２０に沿ってユニット間ケーブルＣ１０を敷設するのでケーブル長が長くなり、交換機システム５０の設置面積も大きくなってしまうという問題点があった。
【００１１】
本発明は斯かる問題点を鑑みてなされたものであり、その目的とするところは、０／１系の各々架枠の背面を対向させ、各々のＢＷＢ（Ｂａｃｋ  Ｗｉｒｅｒｉｎｇ  Ｂｏａｒｄ）同士をコネクタで接続することにより、０／１系間の交絡ケーブルの収容スペースを削減した交換機システム及びその配線方法に関する技術を提供する点にある。
【００１２】
【課題を解決するための手段】
請求項１記載の本発明の要旨は、アクト系とスタンバイ系とが互いに切替わる交換機システムであって、
制御系や通話路系の動作を行う基板が実装される１つ又は複数のユニットと、該ユニットを収納する架枠と、前記ユニット毎に前記架枠の背面に配置されたバックワイヤリングボードとを有する０系と、
該０系がアクト系として機能するとき、スタンバイ系となり、前記０系がスタンバイ系のとき、アクト系として機能する前記０系と同一の構成要素を有する１系と、
前記０系の背面に設置された前記バックワイヤリングボードと、前記１系の背面に設置されたバックワイヤリングボードとの間に設けられ、前記０系と前記１系とを接続する０／１接続コネクタとを備え、
前記０系の前記架枠の背面と前記１系の架枠の背面とは互いに対向して配置され、
前記０／１接続コネクタは、前記０系の背面に設置された前記バックワイヤリングボードと、前記１系の背面に設置されたバックワイヤリングボードとの間で交絡信号を伝える
ことを特徴とする交換機システムに存する。
請求項２記載の本発明の要旨は、前記０系と前記１系の各々架枠の背面において、鉛直方向に配置された前記バックワイヤリングボードを接続し、上下に配置された前記ユニット間の信号を伝えるＢＷＢ接続コネクタを備えることを特徴とする請求項１に記載の交換機システムに存する。
請求項３記載の本発明の要旨は、前記０系と前記１系とは、前記０系と前記１系間の互いの交絡信号の入力、又は、出力を行う同一構成の基板を各々有し、
前記０／１接続コネクタは、前記０系の出力から前記１系へ入力する信号と前記１系の出力から前記０系へ入力する信号とが互いに絶縁を保ち、交差する配線構造を有し、
前記基板は、前記０／１接続コネクタを挟んで対照位置となるそれぞれの前記バックワイヤリングボード上に実装される
ことを特徴とする請求項１又は２に記載の交換機システムに存する。
請求項４記載の本発明の要旨は、アクト系とスタンバイ系とが互いに切替わる交換機システムの配線方法であって、
２つの系のうち、一方の系である０系の架枠の背面と他方の系である１系の架枠の背面とを互いに対向して配置し、
前記０系の背面に設置されたバックワイヤリングボードと、前記１系の背面に設置されたバックワイヤリングボードとの間で０／１接続コネクタを介して交絡信号が伝わるように配線する
ことを特徴とする交換機システムの配線方法に存する。
請求項５記載の本発明の要旨は、前記０系と前記１系とは、前記０系と前記１系間の交絡信号の入力、又は、出力を行う同一構成の基板を、前記０系又は前記１系の架枠の背面を対称面とする互いに対向する位置に実装し、
前記０系の出力から前記１系へ入力する信号線と、前記１系の出力から前記０系へ入力する信号線とを互いに絶縁を保ち、交差して配線する
ことを特徴とする請求項４に記載の交換機システムの配線方法に存する。
【００１３】
【発明の実施の形態】
以下、本発明の実施の形態を図面に基づいて詳細に説明する。
【００１４】
図１は、本実施の形態に係る交換機システムＡの概要を示す図である。図１に示すように、本実施の形態に係る交換機システムＡは、アクト系とスタンバイ系とが切替わる０系Ａ１と、０系Ａ１がアクト系として機能しているとき、スタンバイ系となり、０系Ａ１がスタンバイ系のとき、アクト系として機能し、０系Ａ１と同じ構成要素を有する１系Ａ１’と、０系Ａ１と１系Ａ１’の間を接続する０／１接続コネクタ４とで概略構成され、０系Ａ１（１系Ａ１’）は、１つ又は複数のユニット１（ユニット１’）と、０系Ａ１（１系Ａ１’）の０系の背面Ｇ１（１系の背面Ｇ１’）においてユニット１（ユニット１’）毎に備えられたＢＷＢ（Ｂａｃｋ  Ｗｉｒｅｒｉｎｇ  Ｂｏａｒｄ、バックワイヤリングボード）３（ＢＷＢ３’）と、ユニット１（ユニット１’）を収納する架枠２（架枠２’）とを備える。
【００１５】
０系Ａ１と１系Ａ１’とは、互いに同じ機能を有し、各々の背面Ｇ１と背面Ｇ１’とは互いに対向して設置され、０系Ａ１の０系正面Ｆ１と１系Ａ１’の１系正面Ｆ１’とは１８０度反対方向を向く。
【００１６】
０系の背面Ｇ１に備えられた各々のＢＷＢ３は、上下に配置されたユニット１毎に架枠２に固定され、また、鉛直方向Ｄに配置される。鉛直方向Ｄに配置されたＢＷＢ３同士は互いにＢＷＢ接続コネクタ５で接続される。１系の背面Ｇ１’に備えられたＢＷＢ３’も同様の構成となる。また、ユニット１（ユニット１’）には、交換機の動作を行うための基板６（基板６’）が実装される。
【００１７】
ＢＷＢ３（ＢＷＢ３’）は、架枠２（架枠２’）内に固定して設置され、また、ＢＷＢ３とＢＷＢ３’との交絡信号をケーブルではなく０／１接続コネクタ４を利用して互いに送信するので、ユニット１（ユニット１’）は、各基板６（基板６’）を実装できるようレーンのみの機能となる。
【００１８】
０系Ａ１と１系Ａ１’における基板６（基板６’）の実装は、０系正面Ｆ１、又は、１系正面Ｆ１’から各々実装する。
【００１９】
図２は、図１の０／１接続コネクタ４における接続状態の一例を示す図である。図２に示すように、交絡信号を処理する場合、０／１接続コネクタ４は、０系Ａ１側の出力ＯＵＴから１系Ａ１’側の入力ＩＮ’への信号線と、１系Ａ１’側の出力ＯＵＴ’から０系Ａ１側の入力ＩＮへの信号線とを互いに絶縁を保ち、鉛直方向（垂直方向）で交差させており、交絡信号を入力、又は、出力を行う基板６とその基板６と同一の基板６’とを、ＢＷＢ３とＢＷＢ３’との間に設けられた該０／１接続コネクタ４を挟んで対照位置となるＢＷＢ３とＢＷＢ３’上に実装することで、交絡信号線の長さを等しくすることができる。図２中、矢印は架枠２（架枠２’）の天面方向を示す。
【００２０】
また、給電ケーブルや伝送装置との光ケーブルなど、架間・架外ケーブル７が必要な場合は架枠２の最下部にケーブル収容スペース８を設け、架枠２の下部に架間・架外ケーブル７を配置できるようにする。
【００２１】
図３は、基板の実装状態の一例を示す図である。図３に示したように、０／１接続コネクタ４は、０系Ａ１側の出力ＯＵＴから１系Ａ１’側の入力ＩＮ’への信号線と、１系Ａ１’側の出力ＯＵＴ’から０系Ａ１側の入力ＩＮへの信号線とを互いに絶縁を保ち、水平方向で交差させており、図３に示すように架枠２と架枠２’とを天面方向（平面視）から見た状態において、同一基板６と基板６’とを背面Ｇ１と背面Ｇ１’及び０／１接続コネクタ４を挟んで対照位置となるＢＷＢ３とＢＷＢ３’上に実装することで、対となる交絡信号線の長さを等しくすることができる。
【００２２】
図３において、交絡信号における入力ＩＮ（ＩＮ’）と出力ＯＵＴ（ＯＵＴ’）とが各々別の基板６（基板６’）により処理される場合を示す。
【００２３】
また、０／１接続コネクタ４において、交絡信号線を交差させず、出力ＯＵＴ（出力ＯＵＴ’）の基板６（基板６’）と入力ＩＮ’（入力ＩＮ）の基板６’（基板６）とを背面Ｇ（背面Ｇ’）を対称面として対向させることで、交絡信号線の長さを最短にすることができる（不図示）。
【００２４】
以上のように、各々の基板６（基板６’）間及び各々ユニット１、１’間において、ケーブルなしでＢＷＢ３とＢＷＢ３’とが接続される。また、実際の架枠２、２’の組み立ては、架枠２と架枠２’との間でＢＷＢ３、ＢＷＢ３’を各々固定し、ＢＷＢ３（ＢＷＢ３’）同士の接続については、略「コ」の字型のコネクタを利用し、図１に示す各々の腕Ｍ５に、鉛直方向Ｄに配置されたＢＷＢ３（ＢＷＢ３’）を固定して接続できる。この構成により架枠２、２’に沿った配線がなされ、また、ＢＷＢ３（ＢＷＢ３’）の交換が必要になった場合にも容易に対応できる。
【００２５】
また、ＢＷＢ３（ＢＷＢ３’）の故障などが発生した場合の交換方法は、一方の系をＯＵＳ（ＯＵＴ  ＯＦ  ＳＥＲＶＩＳＥ：スタンバイ状態でサービス外）状態にして、基板６（基板６’）、ユニット１（ユニット１’）の順に取り外し、ＢＷＢ接続コネクタ５を外し、ＢＷＢ３（ＢＷＢ３’）を交換する。
【００２６】
実施の形態に係る交換機システムＡは上記の如く構成されているので、以下に掲げる効果を奏する。
【００２７】
第１の効果は、給電ケーブルや伝送装置との光ケーブルなどの架間・架外ケーブル７を除いた架内のケーブルをほとんどなくすことにより、ケーブルを収容するスペースを格段に減らすことができ、省スペースが可能となる。
【００２８】
第２の効果は、従来の０／１系間の交絡については、架側を経由してケーブル配線をしていたため、同じ基板を用いても実装位置により等長配線ができなかったが、０／１系の間における０／１接続コネクタ４を用いて互いのＢＷＢを接続することにより、実装位置に関係なく、すべて等長配線を実現できる。
【００２９】
第３の効果は、０／１系の交絡信号の伝送を、ケーブルを使用しないことで、最短の配線が可能となる。また、信号の高速化に伴う外来ノイズに対する影響に対しても、配線の長さを抑えることにより安定した信号の送受信が可能となり、システムの安定化に寄与する。
【００３０】
第４の効果は、各々の架枠に沿ったケーブルをなくし、ユニット間の接続を、ＢＷＢ接続コネクタ５を利用することにより、外部への放射電波が少なくなり、ＥＭＩ対策にも有効となる。
【００３１】
第５の効果は、ケーブルを減らすことで各々の架枠が小さくなり、設置面積を減らしてコストを削減できる。
【００３２】
第６の効果は、０／１接続コネクタ４とＢＷＢ接続コネクタ５を用いてＢＷＢ同士を接続することで、保守者、設備建設者によるケーブルの接続ミスを減らすことができる。
【００３３】
なお、本実施の形態においては、本発明はそれに限定されず、本発明を適用する上で好適な、交換機システム及びその配線方法に関する技術に適用することができる。
【００３４】
また、上記構成部材の数、位置、形状等は上記実施の形態に限定されず、本発明を実施する上で好適な数、位置、形状等にすることができる。
【００３５】
また、交換機システムに関する技術以外にも冗長構成をとり、ケーブルを多くかかえている装置などに応用できる。例えば、フォールトトレラント式コンピュータなどにも適用ができる。
【００３６】
なお、各図において、同一構成要素には同一符号を付している。
【００３７】
【発明の効果】
本発明は以上のように構成されているので、以下に掲げる効果を奏する。
【００３８】
給電ケーブルや伝送装置との光ケーブルなどの架間・架外ケーブルを除いた架内のケーブルの使用をしないことで、ケーブルを収容するスペースを格段に減らして省スペースが可能となる。
【００３９】
０／１系間の交絡についても０／１接続コネクタを用いて互いのＢＷＢを接続することにより、一方の系における基板の実装位置に関係なく等長配線を実現できる。また、ケーブルを使用しないことで、最短の配線が可能となり、信号の高速化に伴う外来ノイズに対する影響に対処できる。
【００４０】
架枠に沿ったケーブルをなくし、ユニット間の接続を、ＢＷＢ接続コネクタを利用することにより、外部への放射電波が少なくなり、ＥＭＩ対策も有効となる。
【００４１】
ケーブルを減らすことで架枠が小さくなり、設置面積に関するコスト削減ができる。
【００４２】
０／１接続コネクタとＢＷＢ接続コネクタを用いてＢＷＢ同士を接続することで、保守者、設備建設者によるケーブル接続ミスを減らすことができる。
【図面の簡単な説明】
【図１】本発明の実施の形態に係る交換機システムの概要を示す図である。
【図２】図１の０／１接続コネクタにおける接続状態の一例を示す図である。
【図３】基板の実装状態の一例を示す図である。
【図４】従来の交換機システムにおけるユニット構成の一例を示す図である。
【図５】図４の背面におけるユニット間ケーブルの配線を示す図である。
【図６】図５のユニット間ケーブルに対応するスペースの状態を示す図である。
【符号の説明】
Ａ  交換機システム
Ａ１  ０系
Ａ１’  １系
Ｃ１０  ユニット間ケーブル
Ｄ  鉛直方向
Ｆ１  ０系正面
Ｆ１’  １系正面
Ｇ１、Ｇ１’  背面
ＩＮ、ＩＮ’  入力
Ｍ５  腕
ＯＵＴ、ＯＵＴ’  出力
ＴＭ  天面方向
１、１’  ユニット
２、２’  架枠
３、３’ＢＷＢ、ＢＷＢ（バックワイヤリングボード）
４  ０／１接続コネクタ
５  ＢＷＢ接続コネクタ
６、６’  基板
７  架間・架外ケーブル
８、３０  ケーブル収容スペース
１０Ａ、１０Ａ’  ０系
１０Ｂ、１０Ｂ’  １系
１０Ｆ  前面
１０Ｇ  背面
１５、１５’、１６、１６’  ユニット
２０  架枠
５０  交換機システム
【図１】
0003632571.tif 000002
【図２】
0003632571.tif 000003
【図３】
0003632571.tif 000004
【図４】
0003632571.tif 000005
【図５】
0003632571.tif 000006
【図６】
0003632571.tif 000007